(57)【要約】【課題】効率よく放熱を行うことができ光源の輝度の低下を防止する。【解決手段】照明光を射出する光源が実装される基板と、前記基板の前記光源と反対側に配置された放熱部材と、前記光源から射出された照明光を拡散する拡散板と、を備え、前記拡散板は、前記基板を前記放熱部材に接触させる部材を備える。【選択図】図１
2018129314.tif 000002
【特許請求の範囲】
【請求項１】
照明光を射出する光源が実装される基板と、
前記基板の前記光源と反対側に配置された放熱部材と、
前記光源から射出された照明光を拡散する拡散板と、
を備え、
前記拡散板は、前記基板を前記放熱部材に接触させる部材を備える照明装置。
【請求項２】
請求項１に記載の照明装置であって、
前記基板は、前記基板と反対側の面に配置される熱伝導部材を備え、
前記放熱部材は、前記熱伝導部材を介して前記基板に接触する照明装置。
【請求項３】
請求項１または２に記載の照明装置であって、
前記放熱部材に接続され、前記光源、前記拡散板、前記基板及び前記放熱部材を収容する筐体と、
を備え、
前記筐体は、高放熱性部材により形成されている照明装置。
【請求項４】
請求項３に記載の照明装置であって、
前記筐体は、内壁面が高反射率を有する照明装置。
【請求項５】
請求項１〜３のいずれか一項に記載の照明装置であって、
前記拡散板によって拡散された照明光の配光を調整する集光機能を有するレンズを備え、
前記レンズの光軸方向において、前記拡散板から前記レンズまでの距離Ａと、前記光源から前記拡散板までの距離Ｂと、前記レンズの焦点距離Ｃが、
Ｃ＞Ａ＋Ｂ
の関係を満たす照明装置。
【請求項６】
請求項５に記載の照明装置であって、
前記レンズの光軸方向において、前記拡散板から前記レンズまでの距離Ａと、前記光源から前記拡散板までの距離Ｂと、が、
Ａ＞Ｂ
の関係を満たす照明装置。
【請求項７】
請求項５または６に記載の照明装置であって、
前記拡散板は、前記レンズ側の面の周縁部に立設部を有する照明装置。
【請求項８】
請求項１〜７のいずれか一項に記載の照明装置であって、
前記光源は、ＬＥＤ光源である照明装置。
【発明の詳細な説明】
【技術分野】
【０００１】
本発明は、被写体の照明を行う照明装置に関するものである。
【背景技術】
【０００２】
高い照度で被写体の照明を行う場合には、光源の輝度を高くする必要がある。
【０００３】
なお、ＬＥＤ光源の前方に光を拡大するレンズを配置することにより、点光源であるＬＥＤ光源からの光を拡大して広範囲を照明するストロボ装置が存在する（例えば、特許文献１参照）。
【先行技術文献】
【特許文献】
【０００４】
【特許文献１】特開２００４−２２６５０９号公報
【発明の概要】
【発明が解決しようとする課題】
【０００５】
照明装置においては、光源の輝度の低下を防止するために放熱を効率よく行うことが必要である。
【０００６】
本発明の目的は、効率よく放熱を行うことができ光源の輝度の低下を防止する照明装置を提供することである。
【課題を解決するための手段】
【０００７】
本発明の照明装置は、照明光を射出する光源が実装される基板と、前記基板の前記光源と反対側に配置された放熱部材と、前記光源から射出された照明光を拡散する拡散板と、
を備え、前記拡散板は、前記基板を前記放熱部材に接触させる部材を備える。
【発明の効果】
【０００８】
本発明によれば、効率よく放熱を行うことができ光源の輝度の低下を防止する照明装置を提供することができる。
【図面の簡単な説明】
【０００９】
【図１】実施の形態に係る照明装置の斜視図である。
【図２】実施の形態に係る照明装置の正面図である。
【図３】実施の形態に係るＬＥＤライトの本体部の分解斜視図である。
【図４】実施の形態に係るＬＥＤライトの本体部の図２に示すＣ―Ｃ断面図である。
【図５】実施の形態に係るＬＥＤライトの光源、拡散板及びフレネルレンズの光軸方向の配置位置を示す図である。
【発明を実施するための形態】
【００１０】
以下、図面を参照して、本発明の実施の形態に係る照明装置について説明する。図１は実施の形態に係る照明装置２の斜視図であり、図２は実施の形態に係る照明装置２の正面図である。照明装置２は、照明光射出窓４ａを有する本体部４と、本体部４を構成する前筐体４ｂ及び後筐体４ｃと、本体部４の底部に着脱可能に設けられ、本体部４内に電池を挿入するために開閉される、内壁にネジが設けられた電池蓋４ｄと、から構成される。電池蓋４ｄの底部にはネジ穴（不図示）が設けられており、照明装置２はネジ９によってブラケットに着脱可能である。またブラケット６は三脚穴ネジ８によってカメラ本体（不図示）の三脚ネジ穴に着脱可能である。照明装置２は、ブラケット６を介して、カメラ本体と一体化されたカメラシステムを構築することができる。ここで本体部４を構成する前筐体４ｂ及び後筐体４ｃは、高放熱性部材であるアルミニウムにより形成されている。また照明装置２の光源には、連続照明光を発光可能な光源（例えばＬＥＤ、電球、電灯など）が用いられる。
【００１１】
図３は実施の形態に係る、連続光の光源としてＬＥＤを用いた照明装置２（以降ではＬＥＤライトとも称す）の本体部の分解斜視図であり、図４は実施の形態に係るＬＥＤライト２の本体部の図２に示すＣ―Ｃ断面図である。本体部４内には、高放熱特性を有するプリント基板であるＬＥＤ基板１０に実装された４つのＬＥＤ光源１２、ＬＥＤ光源１２の照明光射出側に配置された拡散板１４、拡散板１４の照明光射出側に配置された集光機能を有するフレネルレンズ１６が備えられている。また本体部４内には、ＬＥＤ基板１０のＬＥＤ光源１２が実装されている面の反対側の面に密着配置される熱伝導シート１８、熱伝導シート１８に密着配置される放熱部材２０が備えられている。なお、前筐体４ｂ及び後筐体４ｃは、内壁面が高反射率を有するように形成されており、放熱部材２０は前筐体４ｂ及び後筐体４ｃに接続されている。
【００１２】
拡散板１４は、点光源であるＬＥＤ光源１２から発生した光を面光源に変換する。ここで拡散板１４は、円板形状を有しており、照明光の射出側面の周縁部に立設部１４ａを有している。また拡散板１４は、ＬＥＤ基板１０側に２つの係止爪１４ｂを有している。従って、放熱部材２０の拡散板１４の２つの係止爪１４ｂのそれぞれに対応する位置に設けられている２つの係止部２０ａに、拡散板１４の係止爪１４ｂが係止されることにより、ＬＥＤ基板１０が熱伝導シート１８を挟んで放熱部材２０に係止される。フレネルレンズ１６は、円板形状を有し且つ集光機能を備えており、拡散板１４から射出された照明光の配光を調整し、本体部４の照明光射出窓４ａから射出させる。
【００１３】
図５に示すように、ＬＥＤ光源１２、拡散板１４及びフレネルレンズ１６の光軸方向の配置位置は、拡散板１４からフレネルレンズ１６までの距離Ａと、ＬＥＤ光源１２から拡散板１４までの距離Ｂと、フレネルレンズ１６の焦点距離（f mm）Ｃとが、
Ｃ＞Ａ+Ｂ
Ａ＞Ｂ
の関係を満たす。
【００１４】
ＬＥＤ光源１２、拡散板１４及びフレネルレンズ１６の光軸方向の配置位置が上記の関係を満たすことにより、ＬＥＤ光源１２からフレネルレンズ１６までの距離を小さくすることができ、柔らかい照明光の照射を行うことができる。
【００１５】
この実施の形態に係るＬＥＤライト２によれば、複数の影を出さず、かつ均一で柔らかい写真撮影に適した照明光を射出させることができる。
【００１６】
また拡散板１４に立設部１４ａを設けており、立設部１４ａが導光板として機能し、更に立設部１４ａの内壁面がリフレクタとして機能するため、ＬＥＤ光源１２から射出された照明光を効率よく、フレネルレンズ１６を介して照明光射出窓４ａから射出させることができる。また、前筐体４ｂ及び後筐体４ｃの内壁面が高反射率を有するように形成されていることによっても、ＬＥＤ光源１２から射出された照明光を効率よく照明光射出窓４ａから射出させることができる。
【００１７】
また拡散板１４の係止爪１４ｂを放熱部材２０の係止部２０ａに係止することによりＬＥＤ基板１０に熱伝導シート１８を介して放熱部材２０を密着させ、更に放熱部材２０を高放熱特性を有する前筐体４ｂ及び後筐体４ｃに接続させているため、前筐体４ｂ及び後筐体４ｃの全体から効率よく放熱を行うことができ、ＬＥＤ光源１２の輝度の低下を防止することができる。
【００１８】
なお、上述の実施の形態においてアルミニウム製の筐体を用いているが、他の高放熱性素材により形成した筐体を用いても良い。
【００１９】
また、上述の実施の形態における放熱シートに代えてシリコングリスを用いても良い。
【００２０】
また、上述の実施の形態において、拡散板を濃度及び厚さの異なる他の拡散板に交換することにより照明光の柔らかさの調整を行えるようにしても良い。この場合には、例えばレバー操作により本体部に配置されている拡散板を抜き取り、他の拡散板を抜き取った拡散板の位置に挿入する拡散板交換機構を設け、レバー操作を行うことにより適宜、拡散板の交換を行うことにより照明光の柔らかさの調整を行う。
【符号の説明】
【００２１】
２…照明装置（ＬＥＤライト）、４…本体部、４ａ…照明光射出窓，４ｂ…前筐体、４ｃ…後筐体、４ｄ…蓋部材、１０…ＬＥＤ基板、１２…ＬＥＤ光源、１４拡散板…、１６…フレネルレンズ、１８…熱伝導シート、２０…放熱部材
【図１】
2018129314.tif 000003
【図２】
2018129314.tif 000004
【図３】
2018129314.tif 000005
【図４】
2018129314.tif 000006
【図５】
2018129314.tif 000007